(57)【要約】【課題】給湯開始時に意図せぬ湯温の湯水が吐水されることを簡易な構成で防ぐことのできる給湯装置を提供する。【解決手段】貯湯タンク１１の上部から湯を出湯する第１給湯配管２８と、第１給湯配管２８と吐水口４２とを接続する第２給湯配管２９と、給湯配管２８，２９の接続部から貯湯タンク１１への流路を形成する吐水戻し配管３０と、これらの配管２８，２９，３０の接続部に設けられた三方弁３１と、吐水戻し配管３０に設けられた水流ポンプ３２と、第２給湯配管２９に設けられた外気取込口を開閉する電磁弁３４と、制御部４０と、を備える。制御部４０は、第２給湯配管２９内の湯温が低下した場合に、三方弁３１、水流ポンプ３２及び電磁弁３４を操作して、第２給湯配管２９と吐水戻し配管３０とを連通させ、外気取込口を開き、そして第２給湯配管２９内の残留水を貯湯タンク１１へ戻す吐水戻し運転を行う。【選択図】図２
2015210061.tif 000002
【特許請求の範囲】
【請求項１】
湯を貯える貯湯タンクと、
前記貯湯タンクの上部から湯を出湯する第１給湯配管と、
前記第１給湯配管と吐水口とを接続する第２給湯配管と、
前記第１給湯配管と前記第２給湯配管との接続部から前記貯湯タンクへの流路を形成する吐水戻し配管と、
前記第１給湯配管と前記第２給湯配管とが連通する第１流路形態と、前記第２給湯配管と前記吐水戻し配管とが連通する第２流路形態とを切り替える切替手段と、
前記吐水戻し配管から前記貯湯タンクへ湯水を送水する送水手段と、
前記第２給湯配管に設けられた外気取込口を開閉する開閉手段と、
前記切替手段、前記送水手段及び前記開閉手段の動作を制御する制御手段と、を備え、
前記制御手段は、実行条件の成立を受けて、前記第２流路形態に切り替え、前記外気取込口を開き、前記送水手段を駆動する吐水戻し運転を行う給湯装置。
【請求項２】
前記制御手段は、前記吐水戻し運転によって前記第２給湯配管の湯水が前記切替手段を通過して前記吐水戻し配管の側へ移動された後に、前記第１流路形態に切り替えて前記第１給湯配管の湯を前記第２給湯配管へ供給し、供給された湯で前記第２給湯配管が満たされた後に前記外気取込口を閉じる請求項１に記載の給湯装置。
【請求項３】
前記第２給湯配管の湯水の温度を取得する温度取得手段を更に備え、
前記制御手段は、前記温度取得手段によって取得された温度が基準温度よりも低い場合に前記実行条件の成立を判定する請求項１又は請求項２に記載の給湯装置。
【請求項４】
前記給湯装置は、設定湯温の湯を前記吐水口から出湯する給湯動作を実行し、
前記温度取得手段は、前記給湯動作の停止時の前記設定湯温、停止してからの経過時間及び外気温に基づいて、前記第２給湯配管の湯水の温度を推定する請求項３に記載の給湯装置。
【請求項５】
前記基準温度は、２０℃〜３５℃である請求項３又は請求項４に記載の給湯装置。
【請求項６】
前記貯湯タンク、前記切替手段、前記送水手段及び前記制御手段は、タンクユニット内に収納され、
前記開閉手段は、
前記外気取込口に接続されたホースと、
前記ホースを開閉する電磁弁と、を含み、
前記電磁弁は、前記タンクユニット内に収納されている請求項１から請求項５の何れか１項に記載の給湯装置。
【請求項７】
一端が前記貯湯タンクの上部に接続され、途中に追い焚き用熱源器及び追い焚き用循環ポンプが配置され、他端が前記貯湯タンクの下部に接続された追い焚き熱源回路と、
前記追い焚き用熱源器と浴槽との間で浴槽水を循環させる浴槽水循環回路と、を更に備え、
前記吐水戻し配管の他端は、前記追い焚き熱源回路における前記追い焚き用循環ポンプの吸込側に接続され、
前記吐水戻し配管と前記追い焚き熱源回路との接続部に配置され、前記吐水戻し配管と前記貯湯タンクとが前記追い焚き熱源回路の一部を介して連通する第３流路形態と、前記追い焚き用熱源器と前記貯湯タンクとが前記追い焚き熱源回路を介して連通する第４流路形態とを切り替える第２切替手段を備え、
前記制御手段は、前記吐水戻し運転を行う場合に、前記送水手段として前記追い焚き用循環ポンプを駆動するとともに、前記第２切替手段を更に制御して前記第３流路形態に切り替える請求項１から請求項６の何れか１項に記載の給湯装置。
【請求項８】
前記吐水口への人の接近を検知する人検知センサを備え、
前記制御手段は、前記人検知センサが人の接近を検知した場合に前記実行条件の成立を判定する請求項１から請求項７の何れか１項に記載の給湯装置。
【請求項９】
前記吐水口は浴室に設けられ、
前記人検知センサは、前記浴室に配置された前記給湯装置の操作部に設けられている請求項８に記載の給湯装置。
【請求項１０】
前記吐水口は浴室に設けられ、
前記人検知センサは、前記浴室に設置されている電気機器に設けられている請求項８に記載の給湯装置。
【請求項１１】
室内での人の動きを推定する手段を備え、
前記制御手段は、人が前記吐水口に向かって移動していない場合には、前記吐水戻し運転の実行を制限する請求項１から請求項１０の何れか１項に記載の給湯装置。
【発明の詳細な説明】
【技術分野】
【０００１】
本発明は、貯湯式の給湯装置に関するものである。
【背景技術】
【０００２】
給湯装置と給湯先の吐水口との間は給湯配管で接続されており、この給湯配管内には常時残水が溜まっている。給湯配管内の残水は外気へ熱を奪われるため、その残水の湯温は時間とともに低下する。このような状況で給湯が開始されると、設定温度の湯よりも先に温度の低下した残水が吐水されるため、使用者に不快感を与えるという課題がある。
【０００３】
このような使用者の不快感を防ぐために、例えば、特許文献１には、給湯配管にヒータを巻いて配管内の水を加熱する技術が開示されている。また、特許文献２には、給湯時の吐水先を浴室の床近傍の高さに設けられた吐水口とシャワー吐水口との間で手動で切り替え可能なシャワー装置に関する技術が開示されている。より詳しくは、この技術では給湯管内に滞留していた冷えた水は低い位置の吐水口から排出し、その後吐水先をシャワー吐水口に切り替えることによりシャワー吐水口からの冷水の吐水を防ぐこととしている。さらに、特許文献３には、給湯配管にバイパス配管を設け、循環流路として冷水を熱源器に戻して再加熱する方法が提案されている。
【先行技術文献】
【特許文献】
【０００４】
【特許文献１】特開平３−１５８６５２号公報
【特許文献２】特許第３０３９２０５号公報
【特許文献３】特開２００１−９９４８４号公報
【発明の概要】
【発明が解決しようとする課題】
【０００５】
しかしながら、上記特許文献１に記載された従来の技術では、給湯配管内の水を設定温度まで加熱する必要があり、システムが複雑化する、消費電力が大きいといった課題がある。また、上記特許文献１に記載された従来の技術では、ヒータが巻かれた専用の給湯配管を用いる必要があるため、買い替え又はリフォーム等によって既存物件に適用する際に対応が困難になるという課題がある。また、上記特許文献２に記載された従来の技術では、配管内の滞留水が排水されるため、排水ロスが大きいという課題がある。また、上記特許文献３に記載された従来の技術では、給湯装置と吐水口との間にバイパス配管を新たに設ける必要があるため、買い替え又はリフォームなどにより既築物件へ対応させることが困難となる。また、冷水を熱原器に戻してから温水の給湯を行なうために、吐水開始から一定時間は給湯されないという課題もある。
【０００６】
本発明は、上記のような課題を解決するためになされたものであって、給湯開始時に意図せぬ湯温の湯水が吐水されることを簡易な構成で防ぐことのできる給湯装置を提供することを目的とする。
【課題を解決するための手段】
【０００７】
本発明に係る給湯装置は、湯を貯える貯湯タンクと、貯湯タンクの上部から湯を出湯する第１給湯配管と、第１給湯配管と吐水口とを接続する第２給湯配管と、第１給湯配管と第２給湯配管との接続部から貯湯タンクへの流路を形成する吐水戻し配管と、第１給湯配管と第２給湯配管とが連通する第１流路形態と、第２給湯配管と吐水戻し配管とが連通する第２流路形態とを切り替える切替手段と、吐水戻し配管から貯湯タンクへ湯水を送水する送水手段と、第２給湯配管に設けられた外気取込口を開閉する開閉手段と、切替手段、送水手段及び開閉手段の動作を制御する制御手段と、を備え、制御手段は、実行条件の成立を受けて、第２流路形態に切り替え、外気取込口を開き、送水手段を駆動する吐水戻し運転を行うものである。
【発明の効果】
【０００８】
本発明によれば、実行条件の成立を受けて、吐水口に接続された第２給湯配管に設けられた外気取込口を開き、第２給湯配管と吐水戻し配管とを連通させ、そして吐水戻し配管から貯湯タンクへ湯水を送水する吐水戻し運転が行われる。これにより、第２給湯配管内に残留していた湯水を、吐水戻し配管を介して貯湯タンク内に戻すことができるので、給湯開始時に意図せぬ湯温の湯水が吐水されることを簡易な構成で防ぐことが可能となる。
【図面の簡単な説明】
【０００９】
【図１】本発明の実施の形態１としての給湯装置の回路構成図である。
【図２】本発明の実施の形態１の給湯装置において実行される吐水戻し運転のルーチンを示すフローチャートである。
【図３】本発明の実施の形態２としての給湯装置の回路構成図である。
【図４】本発明の実施の形態３としての給湯装置の回路構成図である。
【図５】本発明の実施の形態４の給湯装置の吐水口が設けられた浴室内を示す概略図である。
【図６】本発明の実施の形態５の給湯装置の吐水口が設けられた浴室内を示す概略図である。
【図７】本発明の実施の形態６の給湯装置の吐水口が設けられた宅内を示す概略図である。
【発明を実施するための形態】
【００１０】
以下、図面を参照して、本発明の実施の形態について説明する。尚、各図において同一部分または相当部分は、同一の符号を付して、重複する説明を省略する。
【００１１】
実施の形態１．
［実施の形態１の構成］
図１は、本発明の実施の形態１としての給湯装置の回路構成図である。図１に示す給湯装置１は、ヒートポンプユニット２とタンクユニット１０とを備えている。ヒートポンプユニット２は、圧縮機３、放熱器４、膨張弁５、及び蒸発器６を順に配管７で接続して構成され、ヒートポンプユニットケース内に収められている。このヒートポンプユニット２は、自然冷媒である二酸化炭素を冷媒として用い、高圧側では臨界圧を越える状態で運転することが好ましい。
【００１２】
タンクユニット１０は、タンクユニットケース内に、貯湯タンク１１および追い焚き用熱源器１２を内蔵している。貯湯タンク１１としては、上部の高温水の層と、下部の低温水の層とに分離して蓄えられる積層式貯湯タンクが使用されている。追い焚き用熱源器１２としては、例えば複数の伝熱プレートを積層したプレート式熱交換器が使用されている。
【００１３】
追い焚き用熱源器１２は水流が対向して流れる水−水熱交換器であり、上部にはタンク側入口および風呂側出口が設けられ、下部にはタンク側出口および風呂側入口が設けられている。上部のタンク側入口から供給された温水は、下部のタンク側出口から排出される。下部の風呂側入口から供給された浴槽水は、上部の風呂側出口から排出される。
【００１４】
貯湯タンク１１には、上部に温水導出口および温水導入口が設けられ、下部に水導入口および水導出口が設けられている。追い焚き用熱源器１２の上部のタンク側入口には、貯湯タンク１１の上部の温水導出口から配管１３を通って温水が供給され、追い焚き用熱源器１２で熱交換後、下部のタンク側出口から排出される。この排出された水は、追い焚き用循環ポンプ１４により配管１５を通って貯湯タンク１１の下部の水導入口から貯湯タンク１１内に戻される。配管１３、追い焚き用熱源器１２、追い焚き用循環ポンプ１４および配管１５により、追い焚き用熱源器１２の一次側送水回路である追い焚き熱源回路が形成される。
【００１５】
一方、追い焚き用熱源器１２の下部の風呂側入口には、浴槽１６からの湯水が風呂側送水ポンプ１７により浴槽アダプタを通って浴槽戻り配管１８から供給され、追い焚き用熱源器１２で熱交換されて加温された温水となる。その後、上部の風呂側出口から排出された温水は浴槽往き配管１９と浴槽アダプタを通って浴槽１６内に戻される。浴槽戻り配管１８、風呂側送水ポンプ１７、追い焚き用熱源器１２および浴槽往き配管１９により、追い焚き用熱源器１２の二次側送水回路である浴槽水循環回路が形成される。
【００１６】
貯湯タンク１１の下部の水導出口からの水は、沸き上げ用送水ポンプ２０により配管２１を通ってヒートポンプユニット２の放熱器４に供給され、放熱器４で加熱された後、配管２２を通って貯湯タンク１１の上部の温水導入口から貯湯タンク１１内に戻される。沸き上げ用送水ポンプ２０、配管２１、放熱器４および配管２２により貯湯回路が構成される。
【００１７】
風呂給湯用混合弁２３は、リモコン（図示せず）で設定された所望の温度の湯を貯湯タンク１１からの湯と市水からの水を混合することで作り出す。この作り出された湯は、注水配管２６、浴槽戻り配管１８、浴槽往き配管１９を通って浴槽１６に注水される。
【００１８】
減圧弁２５は、水道水配管２７から供給された市水を減圧し、貯湯タンク１１へ給水する。給湯用混合弁２４は、リモコンで設定された所望の温度の湯を貯湯タンク１１からの湯と市水からの水を混合することで作り出す。この作り出された湯は、第１給湯配管２８及び当該第１給湯配管２８に接続された第２給湯配管２９を順に通って吐水口４２から給湯される。
【００１９】
第１給湯配管２８と第２給湯配管２９との接続部には、吐水戻し配管３０の一端が接続されている。吐水戻し配管３０の他端は、貯湯タンク１１の下部の水導入口に接続されている。また、第１給湯配管２８と第２給湯配管２９と吐水戻し配管３０の接続部には、これらの配管の連通状態を切り替えるための三方弁３１が配置されている。より詳しくは、三方弁３１は、第１給湯配管２８と第２給湯配管２９とが連通する第１流路形態と、第２給湯配管２９と吐水戻し配管３０とが連通する第２流路形態とを切り替え可能に構成されている。また、吐水戻し配管３０の途中には、配管内の湯水を貯湯タンク１１内へ戻すための送水手段としての水流ポンプ３２が設けられている。さらに、第２給湯配管２９と三方弁３１との連結部には、配管内の湯水の湯温を検知するための温度取得手段としての温度センサ４４、配管内の湯水の流量を検知するための流量センサ４６がそれぞれ設けられている。
【００２０】
第２給湯配管２９と吐水口４２との連結部には、第２給湯配管２９内に空気を導入するための空気導入部３３が設けられている。空気導入部３３には、第２給湯配管２９内に空気を導入するための外気取込口と、外気取込口を開閉するための開閉手段としての電磁弁３４とが設けられている。また、空気導入部３３には、配管内の水が外気取込口内に流入することを防ぐ為の逆止弁（図示せず）が設けられている。
【００２１】
タンクユニット１０のタンクユニットケース内には制御部４０が収納されている。制御部４０は、上述した温度センサ４４、流量センサ４６等のセンサ信号およびリモコンからの信号を受けて、給湯用混合弁２４、風呂給湯用混合弁２３、三方弁３１、電磁弁３４、風呂側送水ポンプ１７、沸き上げ用送水ポンプ２０、追い焚き用循環ポンプ１４、及び水流ポンプ３２等を制御する制御手段として機能する。
【００２２】
［実施の形態１の動作］
次に、本実施の形態の給湯装置１の動作について説明する。給湯動作を実施する場合にはヒートポンプユニット２が運転される。ヒートポンプユニット２では、冷媒は圧縮機３で圧縮されて高温高圧となり、放熱器４で冷却され、膨張弁５により減圧され、蒸発器６により大気から吸熱して蒸発し、そして圧縮機３に戻る。一方、タンクユニット１０では、貯湯タンク１１の下部の水導出口から沸き上げ用送水ポンプ２０により配管２１を通って放熱器４に水が供給される。供給された水は放熱器４で加熱される。そして、加熱されて高温となった温水は貯湯タンク１１の上部の温水導入口からタンク内部へ順次貯湯される。
【００２３】
給湯動作を実施する場合においては、貯湯タンク１１に貯留された湯と、市水から供給される冷水とが給湯用混合弁２４によって混合されて、リモコンで設定した温度の湯水が生成される。生成された湯水は第１給湯配管２８及び第２給湯配管２９を順に流通して吐水口４２から給湯される。
【００２４】
ここで、タンクユニット１０と吐水口４２とを繋ぐ第２給湯配管２９には湯水が残留している。このため、この残留水の温度が設定湯温よりも低下している場合には、設定湯温の湯が給湯される前に低温の湯水が吐水されてしまい、使用者に不快感を与えてしまう。
【００２５】
そこで、本実施の形態の給湯装置１では、第２給湯配管２９内の湯水の温度が低下した場合に、当該第２給湯配管２９内の湯水を貯湯タンク１１内に戻すとともに、設定湯温の湯を新たに第２給湯配管２９へ供給する吐水戻し運転を行うこととしている。以下、吐水戻し運転の具体的な処理について、フローチャートに沿って詳細に説明する。
【００２６】
図２は、本実施の形態１の給湯装置において、制御部４０によって実行される吐水戻し運転のルーチンを示すフローチャートである。図２に示すルーチンでは、先ず、温度センサ４４によって第２給湯配管２９内の湯温が検知される（ステップＳ２）。次に、吐水戻し運転の実行条件として、第２給湯配管２９内の湯温が基準温度よりも低いか否かが判定される（ステップＳ４）。人の皮膚温は約３４℃と言われており、水温が皮膚温以下になると温かいと感じなくなる。また、２０℃以下になると人は冷たいと感じる。そこで、基準温度は、人に不快感を与えない温度として、例えば２０〜３５℃に設定される。
【００２７】
上記ステップＳ４において、第２給湯配管２９内の湯温が基準温度以上であると判定された場合には、上記ステップＳ２に戻り本ルーチンが初めから再度実行される。一方、上記ステップＳ４において、第２給湯配管２９内の湯温が基準温度よりも低いと判定された場合には、給湯動作が実施された場合に人が不快に感じると判断されて、次のステップに移行し、三方弁３１が第２流路形態に切り替えられる（ステップＳ６）。次に、水流ポンプ３２が駆動される（ステップＳ８）。次に、空気導入部３３の電磁弁３４が開弁される（ステップＳ１０）。
【００２８】
上記ステップＳ６、Ｓ８及びＳ１０の処理が実行されると、第２給湯配管２９内の湯水は三方弁３１を通過して水戻し配管３０側へ流通し、貯湯タンク１１内へ戻される。また、第２給湯配管２９内の湯水が水戻し配管３０側へ流通すると、空気導入部３３から第２給湯配管２９内へ順次空気が流入する。
【００２９】
次に、第２給湯配管２９から三方弁３１を通過して水戻し配管３０側へ流通する湯水がなくなったか否かが判定される（ステップＳ１２）。ここでは、具体的には、三方弁３１と第２給湯配管２９との連結部に配置された流量センサ４６の信号を用いて湯水の流通有無が判定される。上記ステップＳ１２の処理は、湯水の流通がないと判定されるまで繰り返し実行される。そして、湯水の流通がなくなったと判定された場合に次のステップへと移行し、水流ポンプ３２が停止されるとともに、三方弁３１が第１流路形態に切り替えられる（ステップＳ１４）。これにより、第１給湯配管２８から三方弁３１を通過して第２給湯配管２９へ高温の湯が供給される。第２給湯配管２９内が高温の湯で満たされると、第２給湯配管２９内の湯水の流通が停止する。次のステップでは、流量センサ４６の信号を用いて湯水の流通有無が判定される（ステップＳ１６）。上記ステップＳ１２の処理は、湯水の流通がないと判定されるまで繰り返し実行される。そして、湯水の流通がなくなったと判定された場合に次のステップへと移行し、空気導入部３３の電磁弁３４が閉弁される（ステップＳ１８）。これにより、吐水戻し運転が終了される。
【００３０】
以上説明したように、本発明の実施の形態１の給湯装置１によれば、簡易な構成で第２給湯配管２９内の残留水を冷たいと感じない湯温に保つことができる。これにより、給湯動作の実施後即座に設定湯温の湯を吐水口４２から出湯することができるので、給湯開始時に意図せぬ湯温の湯水が吐水されて使用者に不快感を与えることを防ぐことができる。
【００３１】
また、本発明の実施の形態１の給湯装置１は、第２給湯配管２９と吐水口４２との連結部に空気導入部３３を新たに設けることとすれば、既存の第２給湯配管２９を変更することなく利用することができる。このため、本発明の実施の形態１の給湯装置１は、給湯装置の買い替え又はリフォーム等を行う場合、既存部件へ容易に取り付けることが可能となる。
【００３２】
また、本発明の実施の形態１の給湯装置１によれば、第２給湯配管２９内に残留していた低温のが貯湯タンク１１に戻されるので、節水効果を有効に高めることが可能となる。
【００３３】
ところで、上述した実施の形態１の給湯装置１では、温度センサ４４により検知された第２給湯配管２９内の湯温が基準温度よりも低温となった場合に吐水戻し運転を実施することとした。しかしながら、吐水戻し運転を実施するための実行条件はこれに限られない。すなわち、外気温、直前の給湯動作における設定湯温、および給湯動作を停止してからの経過時間に基づいて、第２給湯配管２９内の湯温を推定し、当該推定値に基づいて実行条件の成立有無を判定してもよい。
【００３４】
また、上述した実施の形態１の給湯装置１では、ヒートポンプユニット２において加熱された湯を貯湯タンク１１へ貯湯することとしているが、ヒートポンプユニット２に替えて他の加熱手段を用いることとしてもよい。
【００３５】
実施の形態２．
［実施の形態２の特徴］
次に、図３を参照して本発明の実施の形態２の給湯装置の特徴について説明する。図３は、本発明の実施の形態２としての給湯装置の回路構成図である。図３に示す給湯装置１は、空気導入部３３の構成を除き、図１に示す給湯装置１と同様の構成を有している。図３に示す給湯装置の空気導入部３３では、樹脂製のホース３５が図示しない逆止弁を介して第２給湯配管２９内に連通し、当該ホース３５がタンクユニットケース内に収納されているタンクユニット１０まで引き込まれている。ホース３５の先端には外気取込口が形成され、この先端には外気取込口を開閉するための電磁弁３４とが設けられている。
【００３６】
このような構成によれば、外気取り込みのための電磁弁３４がタンクユニット１０内に収納される。電磁弁３４は制御部４０と電気的に接続されている。このため、これら制御部４０および電磁弁３４をタンクユニット１０内の同空間に収納することにより、タンクユニット１０の外部に煩わしい電気配線を引くことが不要となる。
【００３７】
実施の形態３．
［実施の形態３の特徴］
次に、図４を参照して本発明の実施の形態３の給湯装置の特徴について説明する。図４は、本発明の実施の形態３としての給湯装置の回路構成図である。図４に示す給湯装置１は、吐水戻し配管３０及び水流ポンプの構成を除き、図１に示す給湯装置１と同様の構成を有している。図４に示す給湯装置の吐水戻し配管３０は、配管１５における追い焚き用循環ポンプ１４の吸込側に連されている。また、吐水戻し配管３０と配管１５との接続部にな第２切替手段としての三方弁３６が配置されている。三方弁３６は、配管１５と吐水戻し配管３０との連通状態を、吐水戻し配管３０と貯湯タンク１１とが配管１５の一部を介して連通する第３流路形態と、追い焚き用熱源器１２と貯湯タンク１１とが配管１５を介して連通する第４流路形態とを切り替え可能に構成されている。制御部４０は、上述した温度センサ４４、流量センサ４６等のセンサ信号およびリモコンからの信号を受けて、三方弁３６の動作を制御する。
【００３８】
このような構成によれば、三方弁３６を第４流路形態に切り替えることにより、追い焚き熱源回路が形成される。また、三方弁３６を第３流路形態に切り替えて追い焚き用循環ポンプ１４を駆動することにより、第２給湯配管２９内の湯水を三方弁３１を通過して水戻し配管３０側へ流通させることができる。つまり、本実施の形態３の給湯装置によれば、追い焚き用循環ポンプ１４を吐水戻し用のポンプとして流用することができるので、図１に示す給湯装置が備える水流ポンプ３２の構成が不要となる。これにより、給湯装置１の構造がより簡易化されるとともに、部品点数の削減によるコスト削減及び省スペース化を実現することことができる。
【００３９】
実施の形態４．
［実施の形態４の特徴］
次に、図５を参照して本発明の実施の形態４の給湯装置の特徴について説明する。本実施の形態４の給湯装置は、吐水口が浴室に設けられている場合において、浴室に実際に人が入室したことを吐水戻し運転の実行条件とする構成に特徴を有している。図５は、本発明の実施の形態４の給湯装置の吐水口が設けられた浴室内を示す概略図である。なお、図５では給湯装置１を図示していないが、本実施の形態４の給湯装置１の構成は、図１に示す給湯装置１と同様の構成を有している。
【００４０】
図５に示すように、浴室５０の壁面には、給湯装置１の吐水口４２と操作部５２とが設けられている。また、操作部５２は、浴室５０への人の入室を検知する人検知センサとして機能するセンサ部５４が設けられている。センサ部５４は、例えば、焦電センサ又は赤外線センサを用いることができる。
【００４１】
本実施の形態４の給湯装置では、センサ部５４によって浴室５０への人の入室が検知された場合に、実行条件の成立が判定されて、実施の形態１に示した吐水戻し運転が実行される。このような構成によれば、人が吐水口４２からの給湯を実際に利用する場合に吐水戻し運転を行うため、当該吐水戻し運転による第２給湯配管２９内の湯水の入れ替え頻度を抑えることができる。
【００４２】
なお、吐水戻し運転では、第２給湯配管２９内の残水を一回貯湯タンク１１内に回収してから再度温水を供給するため、この湯水の入れ替え動作に数十秒の時間を要す。本実施の形態４の給湯装置では、実施の形態１の給湯装置の実行条件に替えて浴室５０内への人の入室を吐水戻し運転の実行条件としたが、人が入室してから吐水口４２を使用するまでに吐水戻し運転が完了しない場合も考慮して、実施の形態１に示した実行条件、すなわち第２給湯配管２９内の湯温が基準温度よりも低いか否かの条件も同時に設定する構成でもよい。
【００４３】
また、上述した実施の形態４の給湯装置では、浴室５０内に設けられた吐水口４２を対象としたが、操作部が設けられている台所及び台所に設けられた吐水口に本発明を適用することとしてもよい。
【００４４】
実施の形態５．
［実施の形態５の特徴］
次に、図６を参照して本発明の実施の形態５の給湯装置の特徴について説明する。本実施の形態５の給湯装置は、センサ部が操作部以外の電気機器に設けられている構成に特徴を有している。図６は、本発明の実施の形態５の給湯装置の吐水口が設けられた浴室内を示す概略図である。なお、図６では給湯装置１を図示していないが、本実施の形態５の給湯装置１の構成は、図１に示す給湯装置１と同様の構成を有している。
【００４５】
図６に示すように、浴室５０の壁面には、給湯装置１の吐水口４２が設けられている。また、浴室５０の天井には電気機器（例えば、照明機器）５６が設置されている。そして、浴室５０への人の入室を検知するためのセンサ部５４は、この電気機器５６に設けられている。
【００４６】
このような構成によれば、電気機器５６と給湯装置１との通信手段が必要にはなるが、操作部を備えていない空間においても、吐水口４２への人の接近を検知して吐水戻し運転を実行することができる。
【００４７】
ところで、本実施の形態５の給湯装置では、浴室５０の天井に設けられた電気機器５６にセンサ部５４を配置する構成としたが、吐水口４２への人の接近を検知可能であれば、センサ部５４が配置される電気機器５６の種類および配置は特に限定しない。
【００４８】
実施の形態６．
［実施の形態６の特徴］
次に、図７を参照して本発明の実施の形態６の給湯装置の特徴について説明する。図７は、本発明の実施の形態６の給湯装置の吐水口が設けられた宅内を示す概略図である。なお、図７では給湯装置１を図示していないが、本実施の形態６の給湯装置１の構成は、図１に示す給湯装置１と同様の構成を有している。
【００４９】
この図に示すように、宅内６０には各部屋に空気調和装置６２又は冷蔵庫６４などの電気機器が設置されている。それぞれの電気機器は、宅内６０に設けられた電気機器管理装置６６との通信が可能に構成されている。それぞれの電気機器は、居住者によるこれらの電気機器の操作状況（例えば、冷蔵庫６４の開閉動作等）又は各電気機器が備えるセンサの取得情報等に基づいて、居住者の活動エリアを推定可能に構成されている。
【００５０】
本実施の形態６の給湯装置では、宅内６０に設置されている電気機器により、居住者の活動しているエリアが電気機器管理装置６６内に通知される。そして、該電気機器管理装置６６は、居住者が吐水口４２に移動した場合に給湯装置１へ信号を送信する。給湯装置１の制御部４０はこの信号を受けて吐水戻し運転の実行条件の成立を判定し、吐水戻し運転を開始する。また、電気機器管理装置６６は、居住者が不在または就寝していると判定した場合は、給湯装置１へ信号を送信する。給湯装置１の制御部４０は、この信号を受けている期間は吐水戻し運転の実行条件に成立を判定しない制御とする。
【００５１】
このような構成により、居住者による吐水口４２の使用する状況では吐水戻し運転が前もって完了されて温水が即座に供給されるとともに、吐水口４２を使用しない状況では吐水戻し運転による無駄な動力を抑えて節電を行うことができる。
【００５２】
ところで、本実施の形態６の給湯装置では、電気機器として空気調和装置６２と冷蔵庫６４を例示したが、居住者の活動エリアを推定可能な電気機器であればその種類及び配置は特に限定しない。
【００５３】
以上の実施の形態により、給湯時においてすぐに設定湯温が吐水される簡易構造な給湯装置を提供することができる。これにより、給湯開始時に使用者が冷水に触れて不快感を持つ事態を有効に防ぐことができる。
【符号の説明】
【００５４】
１  給湯装置、２  ヒートポンプユニット、３  圧縮機、４  放熱器、５  膨張弁、６  蒸発器、７  配管、１０  タンクユニット、１１  貯湯タンク、１２  追い焚き用熱源器、１３  配管、１４  追い焚き用循環ポンプ、１５  配管、１６  浴槽、１７  風呂側送水ポンプ、１８  浴槽戻り配管、１９  浴槽往き配管、２０  沸き上げ用送水ポンプ、２１  配管、２２  配管、２３  風呂給湯用混合弁、２４  給湯用混合弁、２５  減圧弁、２６  注水配管、２７  水道水配管、２８  第１給湯配管、２９  第２給湯配管、３０  吐水戻し配管、３１  三方弁（切替手段）、３２  水流ポンプ（送水手段）、３３  空気導入部、３４  電磁弁（開閉手段）、３５  ホース、４０  制御部（制御手段）、４２  吐水口、４４  温度センサ（温度取得手段）、４６  流量センサ、５０  浴室、５２  操作部、５４  センサ部、５６  電気機器、６６  電気機器管理装置
【図１】
2015210061.tif 000003
【図２】
2015210061.tif 000004
【図３】
2015210061.tif 000005
【図４】
2015210061.tif 000006
【図５】
2015210061.tif 000007
【図６】
2015210061.tif 000008
【図７】
2015210061.tif 000009